(57)【要約】【課題】    電球を収納する手間を軽減することが可能な包装箱を提供する。【解決手段】  内部に前記電球が収納されるように構成された四角柱の筒体１１と、この筒体１１の一端に位置する部分に構成された底部２０と、筒体１１の他端に位置する部分に設けられて前記電球の口金部と係合するように設けられた舌片３１とを備え、舌片３１は、前記電球が舌片３１が形成されている方の端部から筒体１１内に挿入されるとき、前記電球が筒体１１内に挿入可能とすべく弾性的に変形するとともに、前記電球の口金部が前記係合部と対応する位置まで前記電球が挿入されたとき、舌片３１が前記変形の状態から復元して前記電球の口金部と係合することにより、前記電球が前記筒体から抜けることを防止するように構成されている。【選択図】      図２
2005126083.tif 000002
【特許請求の範囲】
【請求項１】
電球を収納する包装箱であって、
内部に前記電球が収納されるように構成された断面多角形状の筒体と、
前記筒体の略一端に位置する部分に構成された底部と、
前記筒体の略他端に位置する部分に設けられて前記電球の口金部と係合するように設けられた係合部とを備え、
前記係合部は、前記電球が前記他端側から前記筒体内に挿入される際、前記電球が前記筒体内に挿入可能とすべく弾性的に変形するとともに、
前記電球の口金部が前記係合部と対応する位置まで前記電球が挿入された際、
前記係合部が前記変形の状態から復元して前記電球の口金部と係合することにより、前記電球が前記筒体から抜けることを防止するように構成された
ことを特徴とする包装箱。
【請求項２】
前記係合部は、前記電球の口金部と係合する際、この係合部の先端部が、前記筒体の内方向かつ奥方向に向くように構成された舌片であることを特徴とする請求項１記載の包装箱。
【請求項３】
前記係合部の先端部には、前記電球の口金部が嵌合するための切欠部が形成されていることを特徴とする請求項１又は２記載の包装箱。
【請求項４】
前記筒体に、該筒体を吊り下げるためのフック穴が形成されていることを特徴とする請求項１〜４のいずかに記載の包装箱。
【発明の詳細な説明】
【技術分野】
【０００１】
本発明は、電球を収納するための包装箱に関するものである。
【背景技術】
【０００２】
従来、電球を収納するための包装箱としては、四個の側板で略四角柱の形状に形成された筒体と、その筒体の一端を被覆するように形成された底壁と、前記筒体の他端に嵌合するとともに前記電球の口金部を嵌合する蓋部と、前記側壁から突出して前記蓋部を係止すべく構成された蓋止部とを備えたものが知られている（例えば特許文献１）。
【０００３】
このような構成を有する包装箱は、一般的に図７、図８に示す構成となっている。
【０００４】
包装箱１００は、略四角柱の形状の筒状に形成された筒体１０１と、その筒体１０１の一端を被覆するように形成された底部１０２と、筒体１０１の他端に形成されて前記他端を被覆する蓋部１０３と、前記他端を被覆する状態で蓋部１０３を保持することが可能な蓋止部１０６とを備えている。
【０００５】
底部１０２は、底板１０２ａと、差込片１０２ｂと、補助底板１０２ｃとを備えている。底板１０２ａは、筒体１０１を構成する四個の側面のうち一つの側面の一端に、折目を介して連設されている。また、差込片１０２ｂは、底板１０２ａの端部に折目を介して連設されている。さらに、補助底板１０２ｃは、筒体１０１の端部のうち、底板１０２ａが連設されている面の両側面の端部に、折目を介して連設されている。
【０００６】
蓋部１０３には、電球の口金部を嵌合するための嵌合孔１０４と、筒体１０１の側壁に圧接する舌片部１０５とを備えている。
【０００７】
蓋止部１０６は、前記筒体１０１の前記他端の近傍のコーナー部に、筒体１０１の周方向に向けて切り込みを入れることにより形成され、前記コーナー部分を筒体１０１の内側に向けて折り曲げることが可能なように形成されている。そして、蓋部１０３が筒体１０１の他端を被覆している状態で蓋止部１０６を折り曲げて、蓋部１０３を係止することにより、蓋部１０３は筒体１０１の他端を被覆する状態に保持される。
【０００８】
このような構成の包装箱１００の内部に電球１１０を収納する手順につき、図８〜図１１を用いて説明する。
【０００９】
まず、底板１０２ａ及び補助底板１０２ｃを開けた状態、すなわち筒体１０１の一端を開口させた状態にし、電球１１０を口金部１１２側から筒体１０１内に挿入する（図８参照）。この挿入は、口金部１１２が嵌合孔１０４内に挿入され、電球受部１１３の端部が蓋部１０３に当接する状態まで行う（図９参照。）。次に、二枚の補助底板１０２ｃを、筒体１０１の内側に向けて折り曲げる（図１０参照）。最後に、底板１０２ａを、筒体１０１の内側に向けて折り曲げ、差込片１０２ｂも折り曲げて、差込片１０２ｂを補助底板１０２ｃと筒体１０１との間の隙間に差し込むことにより、筒体１０１の一端を底部１０２で覆う（図１１参照）。
【特許文献１】特開平１１−１３９４２３号公報
【発明の開示】
【発明が解決しようとする課題】
【００１０】
以上のような構成を採ると、電球１１０を包装箱１００内に収納するとき、まず、口金部１１２が嵌合孔１０４に挿入される状態で、電球１１０を筒体１０１内に挿入した後、二枚の底部１０２を折り曲げ、さらに、底板１０２ａ及び差込片１０２ｂを折り曲げて、補助底板１０２ｃと筒体１０１との間の隙間に差し込む必要がある。
【００１１】
したがって、電球１１０を包装箱１００に収納するために多大な手間がかかっていた。
【００１２】
そこで、本発明は、電球１１０を収納する手間を軽減することが可能な包装箱を提供することを目的とする。
【課題を解決するための手段】
【００１３】
請求項１に係る発明は、電球を収納する包装箱であって、内部に前記電球が収納されるように構成された断面多角形状の筒体と、前記筒体の略一端に位置する部分に構成された底部と、前記筒体の略他端に位置する部分に設けられて前記電球の口金部と係合するように設けられた係合部とを備え、前記係合部は、前記電球が前記他端側から前記筒体内に挿入される際、前記電球が前記筒体内に挿入可能とすべく弾性的に変形するとともに、前記電球の口金部が前記係合部と対応する位置まで前記電球が挿入された際、前記係合部が前記変形の状態から復元して前記電球の口金部と係合することにより、前記電球が前記筒体から抜けることを防止するように構成されたものである。
【００１４】
請求項２に係る発明は、請求項１記載の包装箱において前記係合部は、前記電球の口金部と係合する際、この係合部の先端部が、前記筒体の内方向かつ奥方向に向くように構成された舌片であるものである。
【００１５】
請求項３に係る発明は、請求項１乃至３のいずれかに記載の包装箱において、前記係合部の先端部には、前記電球の口金部が嵌合するための切欠部が形成されているものである。
【００１６】
請求項４に係る発明は、請求項１〜４のいずれかに記載の包装箱において、前記筒体に、該筒体を吊り下げるためのフック穴が形成されているものである。
【発明の効果】
【００１７】
請求項１に係る発明の構成を採ると、前記係合部は、前記電球が前記他端側から前記筒体内に挿入される際、前記電球が前記筒体内に挿入可能とすべく弾性的に変形するとともに、前記電球の口金部が前記係合部と対応する位置まで前記電球が挿入された際、前記係合部が前記変形の状態から復元して前記電球の口金部と係合するように構成されているため、前記電球を前記他端側から前記筒体内に挿入するだけで、前記電球の口金部に前記係合部が係止することが可能となる。
【００１８】
さらに、前記口金部が前記係合部に係止されることにより、前記電球が前記筒体から抜けることを防止するように構成されているため、前記電球は、前記筒体内に挿入するだけで前記筒体内に確実に保持された状態で収納することが可能となる。
【００１９】
したがって、電球を包装箱内に収納する手間を軽減することが可能となる。
【００２０】
さらに、前記筒体は、断面形状が多角形となる状態に形成されているため、前記電球が前記筒体内に挿入されたとき、前記断面形状を円形に形成した場合と異なり、前記筒体の側壁部分の内周と前記電球とは全周に亘って密着しない。したがって、前記筒体内に前記電球を円滑に挿入することが可能となる。
【００２１】
請求項２に係る発明の構成を採ると、前記係合部は、前記電球の口金部と係合する際、この係合部の先端部が、前記筒体の内方向かつ奥方向に向くように構成されているため、前記電球が前記包装箱から抜け出ることをより確実に防止することが可能となる。
【００２２】
請求項３に係る発明の構成を採ると、前記係合部の先端部には、前記電球の口金部が嵌合するための切欠部が形成されているため、より確実に前記口金部を係止することが可能となり、前記電球が前記包装箱から抜け出ることをより確実に防止することが可能となる。
【００２３】
請求項４に係る発明の構成を採ると、前記筒体を吊り下げるためのフック穴が形成されているため、商品の展示や陳列がし易くなる。
【発明を実施するための最良の形態】
【００２４】
本発明の実施の形態につき、図１〜図６を用いて説明する。
【００２５】
図１は、本実施形態の包装箱の展開図であり、図２は、この包装箱を組み立てた状態を示した図である。
【００２６】
包装箱１は、ダンボール等の紙板材で構成され、筒体１１と、この筒体１１の一端側に位置する部分に構成された底部２０と、この筒体１１の他端側に位置する部分に設けられた一対の舌片３１からなる係合部とを有する。
【００２７】
筒体１１は、四つの側板、すなわち、左、上、右、下の各側板１３ａ、１３ｂ、１３ｃ、１３ｄが設けられており、これらの側板同士は、折目１９を介して連設されている。また、下側板１３ｄの側方には、左側板１３ａと貼着するための貼着片１７が折目１９を介して連設されている。さらに、上側板１３ｂには、電球が筒体１１内に挿入されたときに電球の存在を目視できる確認孔１５が形成されている。
【００２８】
なお、左側壁１３ａには、この筒体１１を吊り下げるためのフック穴４１が形成されている。
【００２９】
底部２０は、底板２１と、差込片２３と、補助底板２５とを備えており、これらの部材２１、２３、２５は、側板１３の上記一端側に形成されている。底板２１は、下側板１３ｄと折目１９を介して連設されており、差込片２３は、底板２１の上方に折目を介して連設されている。また、補助底板２５は、左側板１３ａ及び右側板１３ｃ上方に、折目１９を介して連設されている。
【００３０】
上側板１３ｂ、及び、下側板１３ｄの上記他端側には、舌片３１が、折目１９を介して連設されている。
【００３１】
舌片３１は、包装箱１が組み立てられて包装箱１内部に電球が収納されたときに、この電球の口金部を係合し、この電球が包装箱１内部から抜けることを防止するものである。
【００３２】
この舌片３１の先端には、略半円形状の切欠部３３が形成されている。なお、この切欠部３３は、包装箱１が組み立てられて包装箱１内部に電球が収納されたとき、この電球の口金部に嵌合する。
【００３３】
この包装箱１は、次の手順により、図１の展開状態から、図２に示すような状態に組み立てられる。
【００３４】
まず、各側板１３ａ、１３ｂ、１３ｃ、１３ｄをそれぞれ折目１９により内側に向けて折り曲げ、四角形の断面を持つ筒体１１を形成する。次に、貼着片１７を左側板１３ａの内面に貼着する。さらに、二枚の補助底板２５を筒体１１の内側に向けて折り曲げるとともに、差込片２３も筒体１１の内側に向けて折り曲げ、差込片２３を補助底板２５と筒体１１との間の隙間に差し込む。またさらに、舌片３１を、筒体１１の内側かつ奥側に向けて折り込むことで、この包装箱１の組み立てが行われる。
【００３５】
次に、図３を用いて、包装箱１に挿入される電球１１０について説明する。
【００３６】
電球１１０は、蛍光灯である電球部１１１と、ソケットと接続される口金部１１２と、電球部１１１と口金部１１２との間に配置され、電球部１１１と口金部１１２とを接続するための電球受部１１３とを備えている。
【００３７】
なお、電球受部１１３は、口金部１１２よりもその径は大きくなるように形成されている。
【００３８】
以下、この電球１１０を包装箱１内に収納する手順について図３〜図５を用いて説明する。なお、図３〜図５は、包装箱１の部分については上下方向に切断した状態の断面概略図となっている。
【００３９】
手順１（図３参照）：電球１１０を電球部１１１側から筒体１１内部に挿入する。なお、電球１１０の筒体１１内部への挿入は、舌片３１が形成されている方の筒体端部から行われる。
【００４０】
手順２（図４参照）：電球１１０が筒体１１内部に挿入されるとともに、電球１１０と舌片３１とが接触する。さらに、この挿入作業が進行するとともに、この舌片３１は、筒体１１の内壁に押し付けられる方向に弾性的に変形する。
【００４１】
手順３（図５参照）：さらに挿入作業が進行し、電球１１０の口金部１１２が舌片３１と対応する位置まで挿入されたとき、舌片３１は、前記変形状態から復元し、この電球１１０の口金部１１２の基端部分（口金部１１２と電球受部１１３との境界部分）と係合する。
【００４２】
なお、この状態では、舌片３１は、その先端部分が筒体１１の内方向かつ奥方向に向く状態で、電球１１０を係合する。また、舌片３１の切欠部３３は、図６に示すように、電球１１０の口金部１１２に嵌合する状態で電球１１０を係合する。
【００４３】
以上の手順を採れば、電球部１１１及び電球受部１１３が筒体１１内部に収納され、口金部１１２の基端部分が舌片３１に係合され、口金部１１２の略全体が筒体１１の外部に突出された状態で、電球１１０が筒体１１内部に収納される。
【００４４】
前述のとおり、この実施形態の構成を採ると、舌片３１は、電球１１０が筒体１１内に挿入されるとき、弾性的に変形することが出来る。さらには、口金部１１２が舌片３１と対応する位置まで電球１１０挿入されたとき、舌片３１は、前記変形の状態から復元して口金部１１２と係合することが出来る。
【００４５】
したがって、電球１１０を、舌片３１が配置されている方の端部から筒体１１内に挿入するだけで、電球１１０の口金部１１２に舌片３１を係止させることが可能となる。
【００４６】
さらに、この状態においては、舌片３１が配置されている位置より奥側に位置する電球１１０の電球受部１１３は、口金部１１２よりその径が大きいため、前記係合により電球１１０が筒体１１から抜けることが防止される。
【００４７】
したがって、電球１１０は、筒体１１内に挿入するだけで、筒体１１内に確実に保持された状態で収納することが可能となる。
【００４８】
よって、電球１１０を包装箱１内に収納する手間を軽減することが可能となる。
【００４９】
さらに、この筒体１１は、断面形状が四角形となる状態に形成されているため、電球１１０が筒体１１内に挿入されたとき、前記断面形状を円形に形成した場合と異なり、筒体１１の側壁部分の内周と電球１１０とは全周に亘って密着せず、一部間隙が生じた状態で密着する。したがって、筒体１１内に電球１１０を円滑に挿入することが可能となる。
【００５０】
また、舌片３１と、電球１１０の口金部１１２とが係合するとき、この舌片３１の先端部は、筒体１１の内方向かつ奥方向に向くため、電球１１０が筒体１１から抜け出ることをより確実に防止することが可能となる。
【００５１】
さらに、舌片３１の先端部には、電球１１０の口金部１１２が嵌合するための切欠部３３が形成されているため、より確実に口金部１１２を係止することが可能となり、電球１１０が筒体１１から抜け出ることをより確実に防止することが可能となる。
【００５２】
また、口金部１１２の先端側が筒体１１の外部に突出しているため、点灯検査時には、筒体１１から電球１１０を取り出すことなく口金部１１２をソケットに取り付けることが出来る。さらには、筒体１１に、電球１１０の存在を目視できる確認孔１５が形成されているため、口金部１１２を前記ソケットに取り付けたとき、筒体１１から取り出すことなく、電球部１１１の点灯の有無を確認することができる。したがって、電球１１０の点灯検査を行う場合の手間を軽減することが可能となる。
【００５３】
なお、左側壁１３ａには、この筒体１１を吊り下げるためのフック穴４１が形成されているため、商品の展示や陳列がし易くなる。
【００５４】
以上、本発明の実施形態について説明したが、本発明の装置の具体的構成は前記実施形態に限定されず、特許請求の範囲内で種々変更可能である。
【００５５】
例えば、本実施形態では、係止部を舌片３１としているが、舌片３１を設ける代わりにプラスック材等を用いて別途に係止片を構成してもよい。
【００５６】
また、この場合においては、必ずしも、この係合部の先端側は筒体１１の内方向かつ奥方向に向く状態でこの電球１１０の口金部１１２と係合する必要はなく、例えば、筒体１１の内方向を向いている状態のみで係合してもよい。
【００５７】
さらに、前記係合部は、必ずしも筒体１１の先端に設ける必要はなく、筒体１１内部の任意の箇所に設けてもよい。
【００５８】
また、筒体１１の断面形状は、必ずしも四角形である必要はなく、例えば六角形、８角形等、任意の多角形にしてもよい。
【００５９】
なお、電球１１０の電球部１１１は、必ずしも蛍光灯を用いる必要はなく、例えば、白熱電球や、ハロゲン電球等、様々な電球を用いてもよい。
【図面の簡単な説明】
【００６０】
【図１】本発明の一実施形態にかかる包装箱の展開図である。
【図２】図１の包装箱を組み立てた状態の概略を示した斜視図である。
【図３】本発明の一実施形態にかかる包装箱に電球を収納する手順を示した断面概略図である。
【図４】本発明の一実施形態にかかる包装箱に電球を収納する手順を示した断面概略図である。
【図５】本発明の一実施形態にかかる包装箱に電球を収納する手順を示した断面概略図である。
【図６】本発明の一実施形態にかかる包装箱に電球を収納した状態を示した斜視図である。
【図７】従来の実施形態にかかる包装箱の概要を示した斜視図である。
【図８】従来の実施形態にかかる包装箱に電球を収納する手順を示した断面概略図である。
【図９】従来の実施形態にかかる包装箱に電球を収納する手順を示した断面概略図である。
【図１０】従来の実施形態にかかる包装箱に電球を収納する手順を示した断面概略図である。
【図１１】従来の実施形態にかかる包装箱に電球を収納した状態を示した断面概略図である。
【符号の説明】
【００６１】
１    包装箱
１１  筒体
２０  底部
３１  舌片（係合部）
４１  フック穴
３３  切欠部
１１０  電球
１１２  口金部
【図１】
2005126083.tif 000003
【図２】
2005126083.tif 000004
【図３】
2005126083.tif 000005
【図４】
2005126083.tif 000006
【図５】
2005126083.tif 000007
【図６】
2005126083.tif 000008
【図７】
2005126083.tif 000009
【図８】
2005126083.tif 000010
【図９】
2005126083.tif 000011
【図１０】
2005126083.tif 000012
【図１１】
2005126083.tif 000013